(57)【要約】【課題】カマデッドを備えた扉用施錠装置に於いて、より防犯性の向上を図ること。【解決手段】錠箱内に、ダルマと、デッドボルトと該デッドボルトに連動するカマとから成り、デッドボルトの後端部に形成された係合部が前記ダルマの駆動腕と係合すると共に該ダルマの駆動力に基づき先端部が垂直方向の固定部材の受穴に係入するように錠箱の面座から進退動するカマデッドとを組み込んだ扉用施錠装置に於いて、カマデッドを所定の空間を有して上下対称に１対平行に並設し、これら上下のカマデッドが錠箱内に設けた同期手段を介して同時に進退動し、施錠時、デッドボルトの先端部は固定部材の受穴に係入すると共に、カマの鉤状先端部は受穴の周囲における固定部材の掛合部分の裏面に掛止し得る扉用施錠装置。【選択図】図１
2010133144.tif 000002
【特許請求の範囲】
【請求項１】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下対称に１対平行に並設し、これら上下のカマデッドが前記錠箱内に設けた同期手段を介して同時に進退動し、施錠時、前記デッドボルトの先端部は前記固定部材の受穴に係入すると共に、前記カマの鉤状先端部は前記受穴の周囲における固定部材の掛合部分の裏面に掛止し得ることを特徴とする扉用施錠装置。
【請求項２】
請求項１に於いて、固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする扉用施錠装置。
【請求項３】
請求項１に於いて、同期手段はダルマと略同一形状の大きさに形成された一つの回転体であり、該回転体は、その同期歯がダルマの環状嵌合部の駆動歯と噛合するようにダルマの上下方向に配設され、前記同期歯から半径外方向に延びる同期腕が他方のカマデッドのデッドボルトの後端部に形成された係合部に係合することを特徴とする扉用施錠装置。
【発明の詳細な説明】
【技術分野】
【０００１】
本発明は、引戸、開き扉等の開閉体に取り付けられる扉用施錠装置に関する。
【背景技術】
【０００２】
特許文献１には、「親扉の自由端部に設けられた錠箱内に、横方向に進退動する横デッドボルトと、該横デッドボルトに対して直交すると共に上下方向に進退動する縦デッドボルトとを組み込む事項」が開示されている。この特許文献１の前記横デッドボルトは、例えば錠箱の垂直面座（フロント）から突出して親扉の自由端部と対向する子扉の受具の受穴に係入し、一方、前記縦デッドボルトは、前記錠箱の水平面座（底壁）から突出して戸枠の下枠の受具の受穴に係入する。この特許文献１の実施例は、「扉用のダブルデッド錠」と称すべきものであるが、固定部材（戸枠、受け具）に対して扉を縦方向と横方向に同時に施錠する場合には適合するが、垂直方向の固定部材の受穴（例えば縦枠や縦枠に設けた受け具の受穴）に同時に複数個（例えば２個）の横デッドボルトが同時に係入するものではないから、ダブルデッド錠の取付け箇所が限定されるという問題点がある。また、子扉側の防犯性という観点から考察した場合、施錠片は記垂直面座（フロント）から子扉側の受穴へと進入する一つのデッドボルトのみであるから、子扉側の防犯性を向上させることができないという問題点もある。
【０００３】
また、特許文献２には、「錠箱内にデッドボルトと該デッドボルトに連動するカマとから成る一つのカマデッドとを組み込んだ扉用施錠装置」が開示されている。付言すると、特許文献２には、例えば合鍵の操作力によって回転するシリンダ錠又はサムターンと、該シリンダ錠又はサムターンの作動により施錠・解錠方向へ作動する駆動部材と、該駆動部材の駆動力に基づき先端部が垂直方向の固定部材の受穴に係入するように錠箱の面座から進退動する一つのカマデッドとから構成され、前記一つのカマデッドは、デッドボルトと、支持軸及びガイドピンを含む案内手段を介してデッドボルトに連動（従動）するカマとから成る事項が開示されている。この特許文献２は、特許文献１の「扉用のダブルデッド錠」に対して「カマデッド錠」と称すべきものであり、普通一般の「デッドボルトのみ」又は「カマのみ」を備えた錠前に対して防犯性に優れている。
【０００４】
そこで、現在、特許文献２の記載のカマデッド錠を前提にして、より防犯性に優れている扉用施錠装置の出現が要望されている。
【特許文献１】特開２００６−９７３６１号公報
【特許文献２】特開２００７−７０９２６号公報
【発明の開示】
【発明が解決しようとする課題】
【０００５】
本願発明の所期の目的は、特許文献２の記載のカマデッド錠を前提にして、例えば開閉体を上下方向に移動させても、容易に複数個のカマデッドが固定部材の掛合部分から離れないようにし、もって、より防犯性に優れている扉用施錠装置を提案することである。
【０００６】
本発明の第２の目的は、施錠状態に於いて、開閉体を開く方向へ力が作用して、固定部材のストライクに対して集中的な力が加わることになっても、ストライクが容易に変形しないことである。本発明のその他の目的は、同期手段を一つの部材で達成することである。
【課題を解決するための手段】
【０００７】
本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下対称に１対平行に並設し、これら上下のカマデッドが前記錠箱内に設けた同期手段を介して同時に進退動し、施錠時、前記デッドボルトの先端部は前記固定部材の受穴に係入すると共に、前記カマの鉤状先端部は前記受穴の周囲における固定部材の掛合部分の裏面に掛止し得ることを特徴とする。
【発明の効果】
【０００８】
（ａ）錠箱内に、カマデッドを所定の空間を有して上下対称に１対平行に並設し、これら上下のカマデッドが前記錠箱内に設けた同期手段を介して同時に進退し、施錠時、カマデッドを構成する上下のデッドボルトの各先端部は、固定部材の受穴に係入すると共に、上下のカマの鉤状先端部は前記受穴の周囲における固定部材の掛合部分の裏面に同時に掛止し得るので、より防犯性に優れている扉用施錠装置を得ることができる。
（ｂ）請求項２に記載の発明は、受け具の中には、ストライク変形防止部材が該受け具と一体的に設けられているので、扉用施錠装置にダブルのカマデッドの構成を採用しても、ストライクは容易に変形しない。
（ｃ）請求項３に記載の発明は、同期手段はダルマと略同一形状の大きさに形成された一つの回転体であり、該回転体は、その同期歯がダルマの環状嵌合部の駆動歯と噛合するようにダルマの上下方向に配設され、前記同期歯から半径外方向に延びる同期腕が他方のカマデッドのデッドボルトの後端部に形成された係合部に係合するので、同期手段を一つの部材で達成することができる。
【発明を実施するための最良の形態】
【０００９】
以下、図１乃至図７に示す本発明を実施するための最良の形態（第１実施例）により説明する。
【００１０】
（１）錠箱１と垂直方向の固定部材７
図１は発明の実施の環境を示す各概略説明図である。図１は、閉扉時における固定部材７の受穴１０にカマデッド１３の先端部（デッドボルトとカマの各先端部）が係入した施錠時の概略説明図、図２は錠箱１の斜視図、図３は解錠時における錠箱１の内部構成を示す概略説明図である。
【００１１】
さて、図１乃至図３に於いて、１は錠箱で、この錠箱１は、例えば開閉体２の具体例としての引戸又は開き扉に内設される。もちろん、錠箱１を開閉体２の内壁面に面付け状態に取付けても良い。この錠箱１はケース身１ａ、ケース蓋１ｂ及び垂直面座（フロント）１ｃを有し、前記垂直面座１ｃには、後述する上方のカマデッド１３用第１開口（上部開口）３、下方のカマデッド１３用第２開口（下部開口）４がそれぞれ適宜に形成されている。また、垂直面座（フロント）１ｃの上下端部には固着具用孔５が形成されている。
【００１２】
一方、７は、錠箱１の垂直面座１ｃと対面する垂直方向の固定部材（柱、戸枠の縦枠、受け具）である。本実施例では、固定部材７は、戸枠の縦枠に固定されたトロヨケ８とストライク９から成る受け具であり、前記ストライク９は、中央部の掛合部分９ａを基準として上下に一対の受穴（係入穴）１０を有すると共に、前記中央部の掛合部分９ａは、ストライク変形防止部材１１を介して前記トロヨケ８に連結されている。錠箱１の外観構成は、図２に示す通りで、該錠箱１に形成した複数個の軸孔、嵌合孔、突起、ガイド、取付け用固着具等の細部的事項は割愛してある。
【００１３】
なお、本実施例の錠箱１は、あくまでも実施の環境を説明するための一例に過ぎないので、錠箱１内に駆動モータ、歯車、クラッチ手段等を配設し、いわゆる「電気錠」にすることもできる。したがって、後述する駆動部材としてのダルマ１２は、合鍵の回転操作による操作力のみならず、駆動モータの駆動力によっても回転する。
【００１４】
（２）本発明の主な構成部材
本発明の錠箱１内に組み込まれた主な構成部材は、ダルマ１２と、合計２つの「カマデッド（当業者用語）１３，１３」と、２つのカマデッド１３，１３を同時に進退動させるための同期手段１５である。カマデッド１３は施錠片の一例であり、水平方向に往復動するデッドボルト１６と、該デッドボルト１６と連動し、かつ支軸１７及び案内手段（例えば長孔とガイドピン）１８を介して所定量回転するカマ１９から構成されている。
【００１５】
そして、本発明は、例えば「錠箱１内に、ダルマ１２と、デッドボルト１６と該デッドボルトに連動するカマ１９とから成り、前記デッドボルトの後端部に形成された係合部２１が前記ダルマの駆動腕２２と係合すると共に該ダルマの駆動力に基づき先端部が垂直方向の固定部材７の受穴１０に係入するように前記錠箱の面座１ｃから進退動するカマデッド１３とを組み込んだ扉用施錠装置」を前提条件とする。
【００１６】
しかして、本発明の特徴事項の一つは、図１及び図３で示すように、カマデッド１３を所定の空間２３を有して上下対称に１対平行に並設し、これら上下のカマデッド１３，１３が錠箱１内に回転自在に設けた一つの同期手段１５を介して同時に進退し、図１で示す施錠時に、デッドボルト１６の先端部１６ａは固定部材７の受穴１０に係入すると共に、カマ１９の鉤状先端部１９ａは前記受穴１０の周囲における固定部材７の掛合部分９ａの裏面に掛止する。
【００１７】
また、本発明の特徴事項のもう一つは、例えば図５に示す受け具（垂直方向の固定部材の一例）で、該受け具７は、前述したように、戸枠の縦枠に固定された横向き凹所状のトロヨケ８と、該トロヨケ８の上下の取付け端部に図示しない固着具を介して固定される長板状のストライク９から成り、前記ストライク９は、中央部の掛合部分９ａを基準として上下にカマデッド１３用の受穴１０、１０を有すると共に、前記中央部の掛合部分９ａは、ストライク変形防止部材１１を介して前記トロヨケ８の垂直底壁８ａに一体的に連結されている。付言すると、該受け具７の中には、ストライク変形防止部材１１が該受け具と一体的に設けられている。
【００１８】
ところで、前記ストライク変形防止部材１１の構成は、設計変更事項ではあるが、本実施例では、図１、図５及び図７で示すように一端面が中央部の掛合部分９ａの裏面に当接すると共に、その他端面がトロヨケ８の垂直底壁８ａの内壁面に当接する所定長の筒状支持柱１１ａと、この筒状支持柱１１ａの両端部に形成されたメネジに螺合する複数個の止めネジ１１ｂとから成る。
【００１９】
さらに、本発明の同期手段１５の一例は、ダルマと略同一形状の大きさに形成された一つの回転体であり、該回転体は、その同期歯２６がダルマの環状嵌合部の駆動歯２５と噛合するようにダルマの上下方向に配設され、前記同期歯２６から半径外方向に延びる同期腕２７が他方のカマデッド１３のデッドボルト１６の後端部に形成された係合部２１に係合する。付言すると、同期手段は、錠箱１の所定の空間２３に配設され、かつダルマ１２の環状嵌合部１２ａに周設した駆動歯２５と噛合する同期歯２６及びダルマ１２の駆動腕２２が係合する一方のカマデッド（図面では下方のカマデッド）１３のデッドボルト１６に平行に対設する他方のカマデッド（図面では上方のカマデッド）１３のデッドボルト１６の後端部に形成された係合部２１に係合する同期腕２７を有する回転体である。したがって、同期手段１５は一つの部材で済む。
【００２０】
（３）主な構成部材の具体的構成
まず、図２を参照にすると、錠箱１の垂直面座（フロント）１ｃの第１開口（上部開口）３と第２開口（下部開口）４からは、上方のカマデッド１３と下方のカマデッド１３の先端面が上下対称に見える。この図２から明らかなように、上方のカマデッド１３のデッドボルト１６の先端面は下向きＵ字形状であるのに対して、下方のカマデッド１３のデッドボルト１６の先端面は上向きＵ字形状である。
【００２１】
したがって、カマデッド１３のデッドボルト１６は、少なくとも先端縁部の端面或いは縦断面が略コ形状に形成され、カマデッド１３の後退時（解錠時）、カマ１９の鉤状先端部１９ａは、該略コ形状の先端部１６ａに収納され（図３）、一方、カマデッド１３の進出時（施錠時）、カマ１９の鉤状先端部１９ａは、該略コ形状の先端部１６ａから突出可能である（図１）。
【００２２】
付言すると、第１実施例の上下のカマ１９は、図１及び図４の（ｂ）で示すように、錠箱１の垂直面座（フロント）１ｃの上部開口３並びに下部開口４から同時に飛び出すと、各鉤状先端部１９ａは蟹腕の如く内側に対向する。
【００２３】
したがって、第１実施例の上下のカマ１９の各鉤状先端部１９ａは、施錠時、各デッドボルト１６の先端部１６ａが固定部材７の各受穴１０に係入すると、前記受穴１０の周囲におけるストライク９の中央部に相当する掛合部分９ａの裏面に互いに接近した状態で掛止され得る。
【００２４】
次に、図３を参照にすると、下方のデッドボルト１６の後端部には逆ハの字形状の係合部２１が形成され、一方、上方のデッドボルト１６の後端部にはハの字形状の係合部２１が形成されている。本実施例では、下方のデッドボルト１６の逆ハの字形状の係合部２１には駆動手段としてのダルマ１２の駆動腕２２が選択的に係合する。これに対して、上方のデッドボルト１６のハの字形状の係合部２１には同期手段としての回転体１５の同期腕２７が選択的に係合する。
【００２５】
ところで、上下のデッドボルト１６の各後端部には、クリック機能を有する上下一組の付勢手段３１がそれぞれ垂直方向に設けられ、これらの付勢手段３１は、対応するダルマ１２と回転体１５をそれぞれ付勢している。そして、各付勢手段３１は、それぞれの係合部２１の間隙に位置する上下動杆と、該上下動杆に巻装されたクリックバネとから成る。
次に、各カマデッド１３のカマ１９は、それぞれの支軸１７及びガイドピンを含む案内手段１８を介してデッドボルト１６に連動（従動）するが、前記支軸１７は、カマ１９の基端部を軸支するように錠箱１の垂直面座１ｃ付近の中央部に横設された固定支軸であり、各カマ１９は、該固定支軸１７を支点にそれぞれ同時に回転する。そこで、前記案内手段１８は、各カマ１９を回転させることができるように、カマ１９側に形成された不番のガイド長孔と、該ガイド長孔に案内されるデッドボルト１６側の不番のガイドピンとから構成されている。
【００２６】
その他の細部的事項の説明は簡単に説明するが、ダルマ１２は、その環状嵌合部１２ａは錠箱１に設けた嵌合部或いは軸受けに回動自在に嵌合している。また、同期手段としての回転体１５の円形嵌合部（本実施例）又は軸部も、錠箱１に設けた嵌合部或いは軸受けに回動自在に嵌合している。さらに、図４の（ａ）、（ｂ）で示すように、錠箱１の垂直面座１ｃに形成された上部開口３並びに下部開口４は、それぞれ各カマ１９が出入りすることができるように段差状の開口となっている。
【００２７】
（４）作用
閉戸時において、操作手段、例えば図示しないシリンダに差し込んだ合鍵を操作すると、ダルマ１２は、図３で示す矢印Ａ（時計）方向へと回転する。ダルマ１２が矢印Ａ方向へと回転すると、ダルマ１２の駆動腕２１は下方のカマデッドのデッドボルト１６を押し出すことになるが、その時、ダルマ１２の駆動歯２５は同期手段１５の同期歯２６に噛合していることから、該同期手段１５はダルマ１２を介して図３で示す矢印Ｂ（反時計）方向へと同時に回転し、その同期腕２７で上方のカマデッドのデッドボルト１６を押し出すことになる。
【００２８】
しかして、上下のデッドボルト１６がダルマ１２の駆動力に基づき同時に水平移動すると、各先端部１６ａが垂直方向の固定部材７の上下の受穴１０に同時に係入するように前記錠箱１の面座１ｃから進出する。そして、図１で示すように、施錠時、前記デッドボルト１６の先端部１６ａは前記固定部材７の受穴１０に係入すると、デッドボルト１６に支軸１７等を介して連動する上下のカマ１９は、それぞれの鉤状先端部ａが固定部材（本実施例ではストライク９）の中央部の掛合部分９ａの裏面に接近状態で掛止される。この施錠状態で、引戸１又は扉１に開く方向へ力が作用すると、前記掛合部分１９ａに集中的に力が加わることになる（開閉体が引戸の場合）或いは受穴１０を有する固定部材７のストライク（ストライクに相当する部分）９に集中的に力が加わることになるが、本実施例では、前記中央部の掛合部分９ａやストライク（ストライクに相当する部分）は、ストライク変形防止部材１１が設けられているので、容易に変形しない。
【実施例】
【００２９】
発明の実施の形態で示した実施例に於いて、開閉体２は、引戸又は水平方向に回転する開き扉のいずれかである。また、図８及び図９は本発明の第２実施例である。この第２実施例に於いて、第１実施例と異なる点は、（ａ）上下のカマ１９が外向きに配設されている点、（ｂ）受け具７Ａのストライク９Ａの受穴（係入穴）１０Ａが一つである点、（ｃ）したがって、受け具７Ａは、その中央部にストライク変形防止部材１１を備えていない点、（ｄ）施錠時、各カマデッド１３のデッドボルト１６の先端部は、それぞれ受け具７Ａの長孔状の受穴１０Ａに同時に係入するものの、各カマデッド１３のカマ１９の各鉤状先端部１９ａは、ストライク９Ａの掛合部分の裏面の上位と下位に離れた状態で掛止され得る点である。
【００３０】
次に、図１０及び図１１は、本発明の第３実施例である。この第３実施例に於いて、第１実施例と異なる点は、ダブルのカマデッド１３に対応する受け具７Ａのストライク変形防止部材１１Ａの構造で、このストライク変形防止部材１１Ａは柱状ではなく、複数個の係合部（係合爪片、係合突起など）を有する支持枠状に形成されている。
【００３１】
すなわち、３５は左右一対の垂直板で、これらの垂直板３５は後端面の上位と下位にそれぞれ下向きの鉤状係合爪片３６を有する。また、３７は左右の垂直板３５に直交する幅広連結板で、この幅広連結板３７は左右の垂直板３５の略中央部に連結されているので、その内壁面３７ａはストライク９の掛合部分９ａと同じ役割を発揮する。
【００３２】
付言すると、図１０で示すように、ストライク変形防止部材１１Ａを受け具７Ａの中に一体的に設けた場合、各垂直板３５はトロヨケ８の左右の対向側壁８ｂの内壁面に沿って位置付けられると共に、各垂直板３５の後端面の複数の係合爪片３６は、トロヨケ８の垂直底壁８ａの上端部と下端部にそれぞれ形成した合計４つの被係合部（係合長孔、係合突起など）３８に係合し、また、幅広連結板３７は、ストライク９の掛合部分９ａの内壁面と面接触可能な状態に対向する。
【００３３】
このように、受け具（７，７Ａ）の中にストライク変形防止部材（１１、１１Ａ）を該受け具と一体的に設けることにより、ダブルのカマデッド１３に対応する強固な受け具を得ることができる。
【産業上の利用可能性】
【００３４】
本発明は、主に錠前や建具の業界で利用される。
【図面の簡単な説明】
【００３５】
図１乃至図７は本発明の最良の実施例（第１実施例）を示す各説明図。図８及び図９は本発明の第２実施例を示す各説明図。図１０及び図１１は本発明の第３実施例を示す各説明図。
【図１】閉戸時における施錠状態を示す概略説明図。
【図２】錠箱の外観構成を示す斜視図。
【図３】錠箱の内部構成を示す概略説明図（細部的事項は省略）。
【図４】図４（ａ）及び図４（ｂ）は、錠箱を面座側から見た説明図で、前記（ａ）はカマデッドの解錠状態、前記（ｂ）はカマデッドの施錠状態の先端面をそれぞれ示す概略説明図。
【図５】受け具の斜視図。
【図６】受け具の正面図。
【図７】図６の７−７線断面図。
【図８】本発明の第２実施例の図１と同様の説明図。
【図９】本発明の第２実施例の図５と同様の説明図（受け具の斜視図）。
【図１０】本発明の第３実施例を示す概略断面説明図。
【図１１】本発明の第３実施例を示す分解斜視図。
【符号の説明】
【００３６】
1…錠箱、１ｃ…垂直面座（フロント）、２…開閉体、３…カマデッド用第１開口（上部開口）、４…下方のカマデッド用第２開口（下部開口）、７、７Ａ…垂直方向の固定部材（柱、戸枠の縦枠、受け具）、８…トロヨケ、８ａ…垂直底壁、９、９Ａ…ストライク、９ａ…掛合部分、１０、１０Ａ…受穴（係入穴）、１１，１１Ａ…ストライク変形防止部材、１２…ダルマ、１２ａ…ダルマの環状嵌合部、１３…カマデッド、１５…同期手段、１６…デッドボルト、１６ａ…先端部、１７…支軸、１８…案内手段、１９…カマ、１９ａ…鉤状先端部、２１…係合部、２２…ダルマの駆動腕、２３…所定の空間、２６…同期歯、２７…同期腕、３１…付勢手段。
【図１】
2010133144.tif 000003
【図２】
2010133144.tif 000004
【図３】
2010133144.tif 000005
【図４】
2010133144.tif 000006
【図５】
2010133144.tif 000007
【図６】
2010133144.tif 000008
【図７】
2010133144.tif 000009
【図８】
2010133144.tif 000010
【図９】
2010133144.tif 000011
【図１０】
2010133144.tif 000012
【図１１】
2010133144.tif 000013